(57)【要約】【課題】  止具打込み機を下方から上方へ又は横方向等の任意の方向に移動させながら、釘やねじ等の止具を等ピッチに連続的に打ち込めるようにする。【解決手段】  相手材へ向けて打出し案内されるものであって射出口５内に配置された止具（１４）を駆動機構を介して射出口６から打ち出して相手材１２へ打ち込むようにした打込機１において、射出口６の近傍を中点とし、端部までの長さが打込みピッチをほぼ同長さとなる線分となる輝線を照射する光学的手段１１ａ、１１ｂを設けた。光学的手段１１ａ、１１ｂはブラケット１０によって打込機１に着脱可能に取り付けられ、打込機１の長手軸を中心に９０度回転可能に構成され、光学的手段１１ａ、１１ｂの照射位置を変更することができる。【選択図】図１
2014028408.tif 000002
【特許請求の範囲】
【請求項１】
打込み機構と、ハウジングと、射出部とを有し、前記射出部内に配置された止め具を前記打込み機構により射出口から相手材に打込む打込機において、
前記射出部の射出口の軸線を中心として、所定長さの光線を相手材の表面に照射する光学的手段を設けたことを特徴とする打込機。
【請求項２】
前記所定長さの光線はライン状に照射されることを特徴とする請求項１に記載の打込機。
【請求項３】
前記光学的手段が、前記光学的手段により相手材の表面に照射される光線の長さを可変調整可能に構成したことを特徴とする請求項１又は２に記載の打込機。
【請求項４】
前記光学的手段は半導体レーザーを用いたレーザーマーカーであり、これらのレーザーマーカーにより、ほぼ直交する２本のライン状光線を相手材の表面に照射することを特徴とする請求項１から３のいずれか一項に記載の打込機。
【請求項５】
前記光学的手段による光線の照射方向を、打込機の前記射出口の中心軸線回りに可変調整可能に構成したことを特徴とする請求項１から４のいずれか一項に記載の打込機。
【請求項６】
前記光学的手段は、両端までの距離が等ピッチとなる光線を照射することを特徴とする請求項１から５のいずれか一項に記載の打込機。
【発明の詳細な説明】
【技術分野】
【０００１】
本発明は、建築作業における壁面等のねじ締めや釘打ち作業時に、ねじや釘を決められたピッチで打込むことが容易に行えるようにピッチ表示装置を備えた打込機に関する。
【背景技術】
【０００２】
壁面の石こうボード張り作業等においては所定ピッチでねじを打込み施工するというような各種の施工要件を定めた施工基準が用いられ、例えば特定の石こうボードでは１５０ｍｍのねじピッチとするというように定められる。従来、作業者がこのような基準に基づいて所定ピッチでねじ締め作業をする場合は、打込み位置に基準線を引き、所定のピッチの目印をつけて、この目印位置へねじを締めつけるようにしている。
【０００３】
このようなねじ締め作業においては、多数のねじを連続的に打ち込みできる打込機を用いて、射出部に供給されたねじを、ドライバビットによって射出口から相手材に向けて打ち出し・回転させ、ねじ締め作業を連続的に行うことが多い。このようなねじ用の打込機（ねじ打ち機）は、射出部の後方側のマガジン内にコイル状に巻回された連結ねじを収納して、このマガジン内の連結ねじを供給機構を介して順次射出部内へ供給するとともに、ハウジングに一体に形成されたハンドルの基部に形成されるトリガを操作することによってドライバビットを連続的にスライド・回転作動させて、ねじを相手材に打ち込む。
【０００４】
打込機による作業は、射出口を相手材の所定位置に押し当て、トリガ操作するだけで連続的にねじ込みできるため作業効率が良い。しかしながら、所定ピッチでねじ締めするためには、事前に相手材に目印をつける作業が必要となり、打込機を用いた連続作業の作業性を損ねている。この課題を解決するため、従来の打込機において連結ねじを収容しているマガジンの下面側に、マガジンの底面方向に尖端部を突出させた凸部を形成し、先に打込を行った釘とマガジン底面に設けた位置合わせ用の凸部とを合わせることで、次に打ち込みを行う位置を決定する構成が特許文献１に提案されている。
【０００５】
特許文献１によるねじ打ち作業は、常に後方マガジン側から前方ノーズ側に向けて本体を動かしながら作業を行う必要があり、本体の移動方向が後方側になったり左右方向になった場合には打ち込み済みのねじを参考に次の打込み位置を決められない場合があった。別の手段として、特許文献２において打込機に照射位置を調整可能なレーザー照射装置を設け、被打込材に照射されたスポットを先に打込んだねじに合わせることにより、所定のピッチで次のねじを打込み可能とする構造が提案されている。
【先行技術文献】
【特許文献】
【０００６】
【特許文献１】特開２００９−８３０６０号公報
【特許文献２】特開２００６−２３９７８３号公報
【発明の概要】
【発明が解決しようとする課題】
【０００７】
通常の打込機でのねじ打ち作業では、ねじ打ち操作後で、次の打込み位置へ打込機を位置決めする際に、打込機を側方又は後方へ移動させて行うこともある。マガジンの底面に尖端を突出させて形成した上記従来技術による決定方法では、壁の上部など、本体を横方向に移動させながら打つ場合には、目印を使用することが出来ないという課題があった。
【０００８】
上記従来の課題を解決するためにレーザー照射装置を設け、被打込材に照射されたスポットを先に打込んだねじに合わせることにより、所定のピッチで次のねじを打込み可能とすることが考えられる。しかし、光学的手段によって作られたスポットの位置は、照射装置を取り付けた本体の傾斜の影響を受け易いという問題がある。また、打込機のように作業者が手で保持して使用する工具の場合は、本体を一定の角度で保ちながら使用し続ける事は難しく、スポットを先に打ち込まれたねじに合わせるのは困難である。
【０００９】
本発明の課題は、上記した従来の光学式ピッチ表示装置の問題点を解消して、ねじ打ち機等の止具打込機による釘やねじ等の止具打込みを、打込機を任意の方向に移動させながら、先に打込んだ位置から所定距離離れた位置に打ち込むことができるコンパクトで操作性の良い打込みピッチ表示装置付きの打込機を提供することである。
【課題を解決するための手段】
【００１０】
上記課題の解決は、打込み機構を収容しているハウジングと、止め具を相手材へ向けて案内する射出部とを有し、射出部内に配置された止め具を打込み機構により射出口から相手材に打込む打込機において、射出部の射出口の軸線を中心として、所定長さのライン状光線を、相手材の表面に照射する光学的手段を打込機に設けることにより達成される。また、光学的手段が相手材の表面に照射されるライン状の光線の長さを調整可能に構成することで、打込みピッチの表示位置を調整可能とした。さらに、光学的手段により、ほぼ直交する２本のライン状光線を相手材の表面に照射することで、本体を縦方向に移動させながら使用する場合も、横方向に移動させながら使用する場合においてもピッチ表示を利用した作業を可能とした。打込機本体への光学的手段の取付方向は、射出口中心軸線回りに可変調整可能にすることが好ましく、このように構成することによりライン状光線の照射方向を打込機の操作状態や作業方向に応じて切替ることができ、作業時に本体の片側に壁などの障害物がある場合でも、障害物の無い方にラインを照射することでピッチ表示が可能となる。また、本体を任意の方向に動かしながらの作業にも対応可能となる。
【発明の効果】
【００１１】
本発明の打込機によれば、相手材の表面に、射出口を中心として片側打込みピッチとなる位置までのライン状の光線を相手材の表面に照射するので、先に打ち込んだ止具がラインの範囲内に位置するように打込機を移動させ位置決めすることによって、所定距離離れた位置に止具を正確に打込むことが可能となる。また光線を照射するだけのマーキングであるので、相手材表面には墨線や打刻されたマークが残ることが無く、後工程でクロス貼りを行う石こうボードの様な内装用壁材等にも使用可能である。
【００１２】
また、相手材表面に照射するライン状光線の長さを可変調整可能に構成することで、打ち込みピッチ幅が調整可能となり、施工条件や施工基準に応じた多種の施工に使用できる。また、２本のラインをほぼ直交させ照射させれば、打込機を前方側へ移動させながらの作業でも、横方向に移動させながらの作業でもいずれの方向への作業においても止具の所定ピッチでの打込み作業が可能となる。さらに、光学的手段は止具打込機の射出口の中心軸線回りに９０度回転可能に構成しているので、ライン状光線の照射方向を打込機の操作状態や作業方向に応じて切り替えることができ、作業時に本体の片側に壁などの障害物がある場合でも、障害物の無い方にラインを照射することで、ピッチ表示が可能となる。
【００１３】
本発明の上記及び他の目的ならびに新規な特徴は、以下の明細書の記載及び図面から明らかになるであろう。
【図面の簡単な説明】
【００１４】
【図１】本発明の実施例にかかる打込みピッチ設定装置を有するねじ打機１（ねじ締め機）の側面図である。
【図２】本発明の実施例にかかる打込みピッチ設定装置を有するねじ打機１（ねじ締め機）の上面図である。
【図３】本発明の実施例にかかる打込みピッチ設定装置を有するねじ打機１（ねじ締め機）の正面図である。
【図４】図３のねじ締め機の打込みピッチ表示装置の部分拡大図である。
【図５】図３のＡ−Ａ部の断面図である。
【図６】本発明の実施例に係るねじ打機１による壁際での使用状態を示す正面図である。
【図７】図６の作業時におけるねじ打機１の上面図である。
【発明を実施するための形態】
【実施例１】
【００１５】
以下、本発明の実施例を図面に基づいて説明する。本実施例においては打込機の一例として、圧縮空気により駆動されるねじ打機を使用した場合を説明する。なお、ねじ打機以外の打込機、例えば釘打機やステープラにおいても同様のピッチ設定装置を取り付けることが可能であり、それらの動作、機能は同様である。
【００１６】
図１は本発明の実施例にかかる打込みピッチ設定装置を有するねじ打機１の側面図である。ねじ打機は、ハウジング２、ハンドル３、マガジン４、射出部５から主に構成される。ハウジング２には、射出部５に装填されたねじ１４を、射出口６から打ち出すとともに、ねじ頭部のリセスと係合し、相手材に押圧しながら回転させねじ込むドライバビット（図示せず）と、ドライバビットをスライド・回転駆動する動力部が収納される。ハウジング２の後方にはハンドル３が設けられ、ハンドル３のハウジング側端部には、動力部を起動、停止する操作可能なトリガ７が配設される。ハウジング２の他端には、外部の圧縮空気源と接続する空気取入口８が配設されており、空気取入口８から流入した圧縮空気により動力部が駆動される。本実施例においては動力部の動力源として圧縮空気を用いているが、本発明の打込機においては動力源は圧縮空気だけに限定されるものでなく、商用電力又はバッテリにより駆動されるモータ、液体燃料又はガスによる内燃機関、その他の動力源であっても良い。
【００１７】
ハンドル３に設けられた空気取入口８と並設して、動力部により駆動に用いられた圧縮空気を大気中に排出する排気口９が設けられる。マガジン４には、ロール状に巻かれた連結ねじが装填される。マガジン４への連結ねじの設定方法や、ねじの連結方法、ねじの送り方法等については公知の任意の機構を用いれば良い。圧縮空気により駆動される送り機構によって、マガジン４に装填されたねじ１４が順次射出部５に送られ、射出部５内でドライバビットの下方、射出口６の軸と同軸状に保持され、作業者がトリガ７を引くことによって相手材１２にねじ込まれる。
【００１８】
ハウジング２の上方であって円筒部分の上端付近には本実施例に係るピッチ表示装置が装着される。ピッチ表示装置はブラケット１０を有し、ブラケット１０には光学的手段である２つのレーザーマーカー１１（１１ａ、１１ｂ）が配設される。それぞれのレーザーマーカー１１ａ、１１ｂは、相手材１２に対し線分状の輝線を照射するようにレーザー光を照射する。
【００１９】
図２は本発明の実施例にかかる打込みピッチ設定装置を有するねじ打機１（ねじ締め機）の上面図である。図２により２つのレーザーマーカー１１の配置位置が明らかになるであろう。１つ目のレーザーマーカー１１ａは、その照射する線分状のレーザー光がハンドル３の長手方向と並行になるように配置され、後述する図３のように本体正面から見て右側にくるように配置される。もう一つのレーザーマーカー１１ｂは、その照射する線分状のレーザー光がハンドル３の長手方向と９０度を成す方向になるように配置され、図２のように上から見てハウジング２の円筒部分の胴体部を基準にハンドル３とは反対側になるように配置される。このようにレーザーマーカー１１によって本体の射出口６側に、それぞれ相手材１２の表面に輝線を投影する。レーザーマーカー１１によって投影される輝線は線分であり、図１に示すように射出口６の近傍に中点が位置し、射出口６から端部までの距離はほぼ等距離Ｌとなる。また、レーザー光により表示される線分の方向は、図２のように上から見たときのハウジング２の円筒部分の接線方向となるように配置される。
【００２０】
ブラケット１０は、上から見た際に射出口６を中心として、９０度回転可能に構成される。図２はその初期位置であり、図２からみて右回りに９０度回転可能である。右回りに９０度回転した場合、はじめは本体正面側に照射されていたレーザーマーカー１１ｂの輝線が本体右側面に、はじめは本体左側に照射されていたレーザーマーカーの輝線は本体正面側に照射される位置にくる。レーザーマーカー１１は、内部に電池を収容した電源ボックス１８により電力が供給される。電源ボックスにはスイッチ１９が設けられ、スイッチ１９を操作することによりねじ打機１の本体部分の動作とは独立してレーザーマーカー１１を点灯させることができる。尚、ブラケット１０、レーザーマーカー１１、電源ボックス１８を含んで構成されるピッチ表示装置は、ねじ打機１の筒状のハウジング２から着脱可能に構成すると、ピッチ表示が不要な作業の場合には取り外すことができて好ましい。
【００２１】
図４は図３のねじ締め機の打込みピッチ表示装置の部分拡大図であり、図５は図４のＡ−Ａ部の断面図である。図５に示すようにレーザーマーカー１１は、半導体レーザー１５と、シリンドリカルレンズ１６、及び絞り１７を含んで構成される。半導体レーザー１５から発振されたレーザー光は、シリンドリカルレンズ１６により直線状に収束され、絞り１７を通過することで照射角度が規定され、相手材表面に所定の線分長に渡り照射される構造である。絞り１７の位置は軸方向（光軸の方向）に移動可能で有り、絞り１７の位置を調整することによって線分Ｌ１の長さを調整することができる。
【００２２】
以上説明した本実施例の打込機により、先に打込んだねじに対して所定の距離離れた箇所へねじ打ちを行う場合について説明する。図１に示すように、まず、本体射出口６を相手材１２に押し当て、射出口６軸を相手材１２に対しほぼ垂直に位置させる。この状態で、レーザーマーカー１１の照射するそれぞれの輝線が、射出口６脇から端部までの長さＬが、規定の打込みピッチとなるように、絞り１７を調節する。
【００２３】
先に打込んだねじの頭部の横に、レーザーマーカーの輝線端部を合わせることで、次のねじ打ち作業時に、射出口６を先に打込んだねじからほぼ所定距離Ｌ離れた位置に配置することができる。ここで、レーザーマーカーの輝線が、射出口６横を中点として、前後、あるいは左右に伸びて引かれているので、ねじ打機１を、前後方向に移動させながら作業する際も、左右方向に移動させながら作業する際も、対応可能となる。また、レーザーマーカー１１を取り付けたブラケット１０は、９０度回転可能である。この時の使用状況を示すのが図６である。図６は本発明の実施例に係るねじ打機１による壁際での使用状態を示す正面図である。例えば、本体正面から見て右方向に壁面１３があり、相手材表面に輝線を投影できない場合は、ブラケット１０を回転させる。この状態を上から見た図が図７である。このように本体正面からみて左側に輝線を照射することで、位置出しが可能となる。
【００２４】
ところで、このような光学的手段による輝線は、それを取り付けた本体の傾きにより、長さが変わるという欠点がある。しかし、本発明によれば、本体が極端に傾いた際は、本来射出口から等距離Ｌにある輝線両端部までの距離が変わるため、作業者は本体が傾いた状態で保持されることを認識できる。そのため、本体の傾きによる位置決めの誤りを低減することができる。また、光学的手段たるレーザーマーカー１１をねじ打機１と着脱可能にしたことにより、狭い場所での作業時は、レーザーマーカー１１を取り外すことで操作性を向上することができる。
【００２５】
なお、上述の実施例において、光学的手段として、光源に半導体レーザーを使用した例を記載したが、ＬＥＤや一般の電球を使用してもよい。また、光を線状に収束するためにシリンドリカルレンズを使用したが、例えば回転するポリゴンミラーなどの機械的手段で照射方向を移動させ、相手材表面に輝点を走査させ輝線を描写する手段を用いても同様の効果が得られる。上述したように、本発明によれば、相手材表面には墨線や打刻されたマークが残ることが無く、止め具の打込み位置を表示することが可能となる。
【符号の説明】
【００２６】
１  ねじ打機（打込機）
２  ハウジング
３  ハンドル
４  マガジン
５  射出部
６  射出口
７  トリガ、
８  空気取入口
９  排気口
１０  ブラケット
１１、１１ａ、１１ｂ  レーザーマーカー（光学的手段）
１２  相手材
１３  壁面
１４  ねじ
１５  半導体レーザー
１６  シリンドリカルレンズ
１７  絞り
１８  電源ボックス
１９  スイッチ
【図１】
2014028408.tif 000003
【図２】
2014028408.tif 000004
【図３】
2014028408.tif 000005
【図４】
2014028408.tif 000006
【図５】
2014028408.tif 000007
【図６】
2014028408.tif 000008
【図７】
2014028408.tif 000009